(57)【要約】  本発明の実施例は、バックライトモジュールに用いるバックライト固定構造を提供する。前記バックライト固定構造は、固定台座、前記固定台座の第一側に設置されるチューブ挟持部、及び前記固定台座の、前記第一側の反対となる第二側に設置される係止構造を含み、そのうち、前記係止構造は、係止跳返構造を含み、前記係止構造とバックプレートとが係止する際、前記係止跳返構造は弾性変形し、前記バックプレートに前記固定台座から遠ざかる弾性保持力を供する。前記係止跳返構造は、係止構造とバックライトモジュールのバックプレートとを充分に係止する。本発明の実施例はさらに、前記バックライト固定構造を有するバックライトモジュールを提供する。
2015522905.tif 000002
【特許請求の範囲】
【請求項１】
固定台座、前記固定台座の第一側に設置されるチューブ挟持部、及び前記固定台座の、前記第一側の反対となる第二側に設置される係止構造を含み、
そのうち、前記係止構造は、係止跳返構造を含み、前記係止構造とバックプレートとが係止する際、前記係止跳返構造は弾性変形し、前記バックプレートに前記固定台座から遠ざかる弾性保持力を供することを特徴とする、バックライトモジュールに用いるバックライト固定構造。
【請求項２】
前記係止構造は、一端が前記固定台座に接続する係止柱、
前記係止柱のもう一端に設置する係止台座、及び、
前記係止台座から、前記係止柱から遠ざかり且つ前記固定台座に向く方向へ延伸する少なくとも一つのハネ、をさらに含むことを特徴とする、請求項１に記載のバックライト固定構造。
【請求項３】
前記係止構造は、前記係止柱に設置している少なくとも一つの側面上の係止突起をさらに含むことを特徴とする、請求項２に記載のバックライト固定構造。
【請求項４】
前記係止跳返機構は、前記固定台座の第二側から延伸する、斜めＬ型構造であることを特徴とする、請求項１〜３のいずれかに記載のバックライト固定構造。
【請求項５】
前記斜めＬ型構造と前記固定台座とが接続する端部は、前記係止柱と固定台座とが接続する一端の側面に位置し、
且つ前記斜めＬ型構造のもう一端は、固定台座から遠ざかり、且つ前記係止柱から遠ざかる方向へ延伸することを特徴とする、請求項４に記載のバックライト固定構造。
【請求項６】
前記固定台座の、前記係止構造を設置している部分は、
前記固定台座の、前記チューブ挟持部を設置している部分に対して、
前記第一側に移動していることを特徴とする、請求項４または５に記載のバックライト固定構造。
【請求項７】
前記固定台座の第一側に設置している支柱をさらに含み、且つ前記支柱は、前記固定台座の前記チューブ挟持部を設置している部分に設置していることを特徴とする、請求項４〜６のいずれかに記載のバックライト固定構造。
【請求項８】
前記バックライト固定構造は、前記支柱の両側にそれぞれ一つの前記チューブ挟持部を設置していることを特徴とする、請求項７に記載のバックライト固定構造。
【請求項９】
前記固定台座の前記係止構造を設置している部分は、
前記固定台座の前記チューブ挟持部を設置している部分に対して、前記第一側に移動し、
且つ前記係止跳返構造は、前記固定台座の、前記固定台座の前記係止構造を設置している部分と前記チューブ挟持部を設置している部分との間の弓状部分であることを特徴とする、請求項１〜３のいずれかに記載のバックライト固定構造。
【請求項１０】
前記係止構造と対応するように、前記固定台座の第一側に設置している支柱をさらに含むことを特徴とする、請求項９に記載のバックライト固定構造。
【請求項１１】
前記バックライト固定構造は、前記支柱の両側に、それぞれ一つの前記チューブ挟持部を設置していることを特徴とする、請求項１０に記載のバックライト固定構造。
【請求項１２】
前記係止突起は二つであり、前記係止柱の向かい合う二つの側面上に位置することを特徴とする、請求項３に記載のバックライト固定構造。
【請求項１３】
前記係止構造のハネは二つであり、前記二つのハネはそれぞれ前記係止柱の、係止突起を設置している以外の、二つの側面に設置されていることを特徴とする、請求項１２に記載のバックライト固定構造。
【請求項１４】
バックライトモジュールであって、
バックプレート、チューブ、及びバックライト固定構造を含み、
前記バックライト固定構造は、
固定台座、
前記固定台座の第一側に設置され、前記チューブを挟持するチューブ挟持部、及び
前記固定台座の、前記第一側と反対の第二側に設置され、前記バックプレートを固定するための係止構造を含み、
そのうち、前記バックライト固定構造の前記係止構造は、係止跳返構造を含み、
前記係止構造とバックプレートとが係止する際、前記係止跳返構造は弾性変形し、
前記バックプレートに前記固定台座から遠ざかる弾性保持力を供することを特徴とする、バックライトモジュール。
【発明の詳細な説明】
【技術分野】
【０００１】
本発明はバックライトモジュール及びバックライトモジュールに用いるバックライト固定構造に係るものである。
【背景技術】
【０００２】
液晶表示装置中の液晶表示パネルの液晶自身は発光しない。表示効果を達成するために、液晶表示パネルに光源装置、例えばバックライトモジュールを提供する必要があり、これにより表示機能を実現する。バックライトモジュールは、サイドライト式バックライトモジュール及び直下式バックライトモジュールに分けられる。
【０００３】
液晶表示装置の応用分野が絶えず増大するなることにより、特に大きいサイズの液晶表示装置の応用において、液晶表示装置のバックライトモジュールの出射輝度に対するさらなる要求があり、複数の発光デバイスを使用することで、バックライトモジュールの出射輝度を高める必要があるが、直下式バックライトモジュールはこのようなニーズに満たすものである。
【０００４】
直下式バックライトモジュールは以下を含む。バックプレート、並列的に並ぶ複数の発光素子、及びバックプレート上において前記発光素子を固定、位置決定するためのバックライト固定構造、及びバックプレート上に設置され、発光素子から出る光を反射するための反射プレートを含む。（反射材料またはフィルム材を塗布、粘着などの方式により、バックプレートとバックライト固定構造とが接触する面上に設置することもできる）。前記発光素子は、液晶表示装置のバックライト固定構造のチューブ挟持部２によって固定される。図１に示すように、液晶表示装置のバックライト固定構造（Lamp Guide）は、バックプレート（Back Cover）上に接続されている（バックライト光源中には、複数ユニットの液晶表示装置のバックライト固定構造を含むが、図においては一ユニットのみ示している）。バックライト固定構造は、固定台座３’、チューブ位置決定構造及び分散板などの光学フィルムを支持する支柱１’を含む。そのうち、前記チューブ位置固定構造は、前記固定台座３’の両側に設けられ、前記支柱１’は前記固定台座３’の上向きの表面中央部に設置されている。前記チューブ位置決定構造は、チューブの固定に用いられるチューブ挟持部２’、及び液晶表示装置のバックライト固定構造を前記バックプレート上に固定する係止構造４’を含む。前記チューブ挟持部２’と係止構造４’は一体成型されたものであり、支柱１’とチューブ挟持部２’の底部は固定台座３’により接続される。前記係止構造４は、バックプレート上の孔を貫通し、係止構造４のツメは、孔を経過する際には収縮し、且つ孔を貫通した後は広がり、これによりバックプレートを、チューブ挟持部２の下向きの表面と係止構造４の上向きの表面の間に固定させ、これによりバックプレートに対してバックライト固定構造を位置決定する。
【発明の概要】
【発明が解決しようとする課題】
【０００５】
発明者は以下について見出した。従来のバックライトモジュール中の液晶表示装置のバックライト固定構造の係止構造は、完全に係止することを保証すると同時に、係止後の強度が高く、緩まないことを保証する必要があり、チューブ挟持部の下向きの表面（係止後のバックプレートの下向きの表面）と、係止構造の上向きの表面との間の距離は、特に精確にする必要がある。チューブ挟持部の下向きの表面と、係止構造の上向きの表面との間の距離が大きすぎると、係止の緩みを招く。チューブ挟持部の下向きの表面と、係止構造の上向きの表面の間の距離が小さすぎれば、係止構造の係止困難をもたらし、または、係止構造のハネが開かないため、係止が不安定となり、係止の不安定性は、バックライト光源の固定の不安定性をもたらし、これによりバックライトモジュールの発光の均一性に影響する。
【課題を解決するための手段】
【０００６】
本発明の実施例に基づいて、バックライトモジュールに用いるバックライト固定構造を提供する。該バックライト固定構造は、固定台座、前記固定台座の第一側に設置されるチューブ挟持部、及び前記固定台座の、前記第一側の反対となる第二側に設置される係止構造を含み、そのうち、前記係止構造は、係止跳返構造を含み、前記係止構造とバックプレートとが係止する際、前記係止跳返構造は弾性変形し、前記バックプレートに前記固定台座から遠ざかる弾性保持力を供する。
【０００７】
これらの実施例において、前記係止構造は、一端が前記固定台座に接続する係止柱、前記係止柱のもう一端に設置する係止台座、及び、前記係止台座から、前記係止柱から遠ざかり且つ前記固定台座に向く方向へ延伸する少なくとも一つのハネ、をさらに含むことができる。
【０００８】
好ましくは、前記係止構造は、前記係止柱に設置している少なくとも一つの側面上の係止突起をさらに含む。
【０００９】
好ましい実施例において、前記係止跳返機構は、前記固定台座の第二側から延伸する、斜めＬ型構造である。
【００１０】
例えば、前記斜めＬ型構造と、前記固定台座とが接続する側は、前記係止柱と固定台座とが接続する一端の側面に位置し、且つ前記Ｌ型構造のもう一端は、固定台座から遠ざかり、且つ前記係止柱から遠ざかる方向へ延伸する。
【００１１】
好ましくは、前記固定台座の、前記係止構造を設置している部分は、前記固定台座の、前記チューブ挟持部を設置している部分に対して、前記第一側に移動している。
【００１２】
前記固定台座の第一側に設置している支柱をさらに含み、且つ前記支柱は、前記固定台座の前記チューブ挟持部を設置している部分に設置している。
【００１３】
好ましくは、前記バックライト固定構造は、前記支柱の両側にそれぞれ一つの前記チューブ挟持部を設置している。
【００１４】
その他の好ましい実施例において、前記固定台座の前記係止構造を設置している部分は、前記固定台座の前記チューブ挟持部を設置している部分に対して、前記第一側に移動し、且つ前記係止跳返構造は、前記固定台座の、前記固定台座の前記係止構造を設置している部分と前記チューブ挟持部を設置している部分との間の弓状部分である。
【００１５】
前記バックライト固定構造は、前記係止構造と対応するように前記固定台座の第一側に設置している支柱をさらに含む。
【００１６】
好ましくは、前記バックライト固定構造は、前記支柱の両側に、それぞれ一つの前記チューブ挟持部を設置している。
【００１７】
また、好ましくは、前記係止突起は二つであり、前記係止柱の向かい合う二つの側面上に位置する。
【００１８】
前記係止構造のハネは二つであり、前記二つのハネはそれぞれ前記係止柱の、係止突起を設置している以外の、二つの側面に設置されている。
【００１９】
本発明の実施例は、さらにバックライトモジュールを提供する。該バックライトモジュールは、バックプレート、チューブ、及びバックライト固定構造を含み、前記バックライト固定構造は、固定台座、前記固定台座の第一側に設置され、前記チューブを挟持するチューブ挟持部、及び前記固定台座の、前記第一側と反対の第二側に設置され、前記バックプレートを固定するための係止構造を含み、そのうち、前記バックライト固定構造の前記係止構造は、係止跳返構造を含み、前記係止構造とバックプレートとが係止する際、前記係止跳返構造は弾性変形し、前記バックプレートに前記固定台座から遠ざかる弾性保持力を供する。
【００２０】
本発明の実施例の技術構成をさらに明確に説明するために、以下に実施例の図面について簡単に紹介する。明らかなように、以下に記載の図面は本発明の一部の実施例に係るものに過ぎず、本発明を制限するものではない。
【図面の簡単な説明】
【００２１】
【図１】図１は従来のバックライト固定構造の正面図である。
【図２】図２は本発明実施例の一つのバックライト固定構造の正面図である。
【図３】図３は本発明実施例の一つのバックライト固定構造の立体図である。
【図４】図４は本発明実施例のバックライトモジュールの構造模式図である。
【図５】図５は本発明実施例のもう一つのバックライト固定構造の正面図である。
【図６】図６は本発明実施例のもう一つのバックライト固定構造の立体図である。
【図７】図７は本発明実施例のもう一つのバックライトモジュールの構造模式図である。
【図８】図８は図２に示すＩ構造、図５に示すＩＩ構造の局部拡大図である。
【発明を実施するための形態】
【００２２】
以下に本発明の実施例中の図面を参照して、本発明実施例中の技術構成についてさらに明確に、完全に記載する。明らかなように、記載する実施例は本発明の一部の実施例に係るものに過ぎず、全部の実施例ではない。本発明の実施例に基づいて、当業者が創作的な労働を必要としない前提において得られるその他の実施例も、本発明が保護を求める範囲に属するものである。以下の実施例の説明は、参考となる添付の図面を参照し、本発明が実施可能であることについて説明している。本発明において使用される用語「上向きの表面」「下向きの表面」「左側面」などは、参考図面における方向に過ぎない。よって、方向を用いた用語は説明するためのものであり、本発明の実施例を制限する用語ではない。
【００２３】
本発明実施例は、液晶表示装置のバックライト固定構造５を提供し、それは液晶表示装置のバックライトモジュール中に設置され、発光素子を挟持するものであり、発光素子とバックプレートとを固定させる。説明すべきは、バックライトモジュール中には、複数ユニットの液晶表示装置のバックライト固定構造５を含むことができるが、本発明実施例の図では一ユニットのみ示していることである。
【００２４】
図２は本発明の実施例に基づく、一種類のバックライトモジュールに用いるバックライト固定構造５の正面図であり、図３は該バックライト固定構造５の立体図である。本実施例のバックライト固定構造５は、固定台座３及びチューブ挟持部２を含む。前記固定台座３は、上向きの表面と下向きの表面（固定台座３の第一側及び第二側に対応）を有する。
【００２５】
前記固定台座３の上向きの表面の中央部には、支柱１を設置することができ、前記固定台座３上の上向きの表面支柱１の両側には、それぞれチューブ挟持部２が設置されている。
【００２６】
前記バックライト固定構造５は、さらに係止構造４を含み、前記係止構造４は、前記固定台座３の下向きの表面に設置されている。前記固定台座３は、その最も外側に、係止構造４が設置されている。
【００２７】
図示の例において、前記バックライト固定構造５は、支柱１、二つの前記チューブ挟持部２及び二つの前記係止構造４を含み、そのうち、前記チューブ挟持部２は、前記固定台座３の上向きの表面に位置し、前記係止構造４は二つあり、前記係止構造４は前記固定台座３の下向きの表面に位置する。図に示すように、順次、係止構造４、チューブ挟持部２、支柱１、チューブ挟持部２、係止構造４が設置されている。好ましくは、前記二つの係止構造４、二つのチューブ挟持部２は、対照的に前記支柱１の両側に設置されている。
【００２８】
前記支柱１と固定台座３は、一体成型され、または取り外し可能に、前記固定台座３上に固定されている。
【００２９】
前記チューブ支持体２と固定台座３は、一体成型され、または取り外し可能に、前記固定台座３上に固定されている。
【００３０】
前記係止構造４と固定台座３は、一体成型され、または取り外し可能に、前記固定台座３上に固定されている。
【００３１】
前記取り外し可能な固定接続方式は、テープによる粘着、ねじによる固定、及び係止部材などの方式により接続される。
【００３２】
本発明の実施例では好ましくは、前記支柱１、チューブ挟持部２及び係止構造４が、いずれも前記固定台座３と一体成型される。
【００３３】
図２及び図８に示すように、本発明実施例の係止構造４は、一端が前記固定台座３に接続する係止柱４１、前記係止柱４１のもう一端に設置される係止台座４２、及び前記係止台座４２から、前記係止柱４１から遠ざかり且つ前記固定台座３に向かう方向に延伸する少なくとも一つのハネ４３、を含むことができる。前記係止構造は、さらに、前記係止柱４１の少なくとも一つの側面上に設置される係止突起４５を含む。より具体的に、本発明実施例中の前記係止構造４は、係止柱４１、係止台座４２、係止突起４５及びハネ４３を含み、そのうち前記係止柱４１の一端は固定台座３に接続し、前記係止柱４１のもう一端は係止台座４２と接続する。前記ハネ４３の一端は、係止台座４２と接続し、前記ハネ４３のもう一端は、前記係止台座４２から遠ざかり、且つ固定台座３に近づく方向に向けて延伸する。前記ハネ４３の延伸端には突起があり、前記係止突起４５は、前記係止柱４１の少なくとも一つの側面上に位置することができる。
【００３４】
具体的に言えば、前記係止柱４１は長方体または正方体とすることができ、本実施例中において、好ましくは長方体である。前記係止柱４１は、四つの側面があり、前記ハネ４３は好ましくは二つであり、前記係止突起４５は好ましくは二つであり、前記二つのハネ４３は、前記係止柱４１の向かい合う二つの側面上に位置し、前記二つの係止突起４５は、前記係止柱４１の他の二つの側面上に位置する。
【００３５】
明らかなように、前記係止突起４５は、一つ、三つ、四つとすることができ、前記ハネ４３も、一つ、三つ、四つとすることができる。前記係止突起４５の、前記係止柱４１における位置は、ハネ４３に近づけ過ぎることなく、具体的には、前記係止柱４１の側辺中部以上の位置にある。前記係止突起４５、ハネ４３及び前記係止柱４１は一体成型される。
【００３６】
さらに、前記係止構造４は、係止跳返構造をさらに含むことができる。前記係止構造４とバックプレートとが係止する場合、前記係止跳返構造は、弾性変形を起こし、前記バックプレートに、前記固定台座から遠ざかる弾性保持力を供する。
【００３７】
前記係止跳返機構は、その弾性力の作用により、チューブ挟持部２の下向きの表面（係止後のバックプレートの下向きの表面）と、係止構造４の上向きの表面の間の距離の正確性を保証している。これにより、係止構造４とバックプレート７とが完全に係止することを保証し、係止後の強度が高く、緩まないことを保証する。また、係止構造４のハネ４３は完全に開くことができ、係止構造４の係止不安定による、バックライト光源の不安定性を解決でき、これによりバックライトモジュールの発光均一性の問題に影響する。
【００３８】
本実施例中において、前記係止跳返構造は斜めＬ型構造４４である。該斜めＬ型構造４４は、前記固定台座３の下向きの表面から延伸する。
【００３９】
さらに、前記係止跳返構造の一端は、前記固定台座３の下向きの表面に固定され、且つ前記係止柱４１と固定台座３とが接続する端の側面において、前記係止跳返構造は、固定台座３から遠ざかる方向に延伸して、斜めＬ型構造４４となる。例えば、前記斜めＬ型構造４４と前記固定台座３とが接続する端は、前記係止柱４１と固定台座３が接続する端の側面に位置し、且つ前記斜めＬ型構造４４のもう一端は、固定台座３から遠ざかり且つ前記係止柱４１から遠ざかる方向へ延伸する。
【００４０】
さらに、前記固定台座３と係止構造４とが接続する部分と、チューブ挟持部２、支柱１が所在する固定台座３の部分とは、異なる平面上に位置する。
【００４１】
好ましくは、前記固定台座３と係止構造４とが接続する部分の平面は、チューブ挟持部２、支柱１が所在する固定台座３の部分の平面より高い。言い換えれば、前記固定台座３の前記係止構造を設置する区分は、前記固定台座３の、前記チューブ挟持部２を設置する部分に対し、前記第一側に移動する。本実施例中において、前記支柱１は、前記固定台座３の前記チューブ挟持部２を設置する部分中に設置されている。
【００４２】
さらに好ましくは、前記固定台座３と係止構造４とが接続する部分の平面と、前記チューブ挟持部２、支柱１が所在する固定台座３の部分の平面とが接続する斜面と水平面との夾角は２０〜４５度である。
【００４３】
前記斜めＬ型構造４４は、前記係止柱４１と前記固定台座３とが接続する四つの側面に、少なくとも一つ設置している。図中に示す、前記斜めＬ型構造４４の数は一つであり、且つ前記斜めＬ型構造４４は、係止柱４１と前記固定台座３とが接続する左側面に設置しているが、本発明はこれらに限られない。
【００４４】
図４は、本発明の実施例に基づく、バックライトモジュールの構造模式図である。前記バックライトモジュールは、前記バックライト固定構造５を含み、前記バックライト固定構造５の支柱１の一端は、固定台座３の上向きの表面と接続し、もう一端は光学フィルム６と接触し、前記光学フィルム６を支持するものである。本発明実施例の係止構造４中の前記係止跳返構造４４を応用し、前記係止構造４が、バックプレート７上の孔を貫通する場合、係止力の作用下において、係止跳返構造４４により、バックプレート７の下向きの表面と、ハネ４３との間の距離を増大させ、係止構造４の係止を完全にし、ハネ４３を完全に開かせてから、係止し、係止力の除去により、係止跳返機構４４が生じる跳返力の作用下において、バックプレート７の下表面とハネ４３との間の距離を減少させ、完全に開いているハネ４３をバックプレート７の下向きの表面に密着させ、これにより係止構造４の係止強度を保証する。係止構造４のハネ４３は、孔を貫通する際に収縮し、孔を貫通してから開くため、これによりバックライト固定構造５をバックプレート７上に固定し、バックプレートに対してバックライト固定構造を位置決定する。前記係止構造４の係止跳返構造４４は、跳返力の作用下において、係止構造４をよりバックプレート７に密着するようにさせ、これにより係止構造４とバックプレート７との係止安定性を保証する。より好ましくは、係止する力が大き過ぎて、係止跳返構造４４の弾性限界を超え、これにより係止跳返構造４４の断裂を招くことを回避するために、前記固定台座３と係止構造４が接続する部分は、チューブ挟持部２、支柱１の所在する固定台座３の部分とは異なる平面上に位置し、このような構造により、係止力が大きすぎることによる、跳返構造４４の断裂を防止する。前記係止突起４５は、係止が完了してから前記バックプレート７の上向きの表面に位置し、係止構造４と前記バックプレート７の係止をより安定化させ、前記ハネ４３の延伸端の突起は、好ましくは垂直平行面であり、このようにハネ４３が開いてから、より強固に前記バックプレート７の下向きの表面に固定させることができる。
【００４５】
図５は本発明のもう一つの実施例に基づく、バックライトモジュールに用いるバックライト固定構造５の正面図である。図６は、該バックライト固定構造５の立体図である。本発明実施例の図中における前記バックライト固定構造５の支柱は一つのみであり、前記チューブ挟持部２は２つであり、前記チューブ挟持部２は前記支柱１の上向きの表面に位置し、前記チューブ挟持部２は前記支柱１の両側に位置し、好ましくは対称的に設置される。前記係止構造４は一つであり、前記係止構造４は、前記支柱１の下向きの表面に位置する。図に示すように、前記係止構造４と、前記支柱４とは、対応するように前記固定台座３の下向きの表面に設置されている。
【００４６】
前記支柱１と固定台座３は一体成型され、または取り外し可能に前記固定台座３上に固定されている。
【００４７】
前記チューブ支持体２と固定台座３は一体成型され、または取り外し可能に前記固定用台座３上に固定している。
【００４８】
前記係止構造４と固定台座３は一体成型され、または取り外し可能に前記固定台座３上に固定している。
【００４９】
前記取り外し可能な固定接続方式は、テープによる粘着、ねじによる固定及び係止部材等の方式により接続される。
【００５０】
本発明の実施例では好ましくは、前記支柱１、チューブ挟持部２及び係止構造４は、いずれも前記固定台座３と一体成型される。
【００５１】
図５及び図８に示すように、本発明実施例中の前記係止構造４は、係止柱４１、係止台座４２、係止突起４５及びハネ４３をさらに含み、そのうち、前記係止柱４１の一端は、固定台座３と接続し、前記係止柱４１のもう一端は、係止台座４２と接続する。前記ハネ４３の一端は、係止台座４２と接続し、前記ハネ４３のもう一端は、前記係止台座４２から遠ざかり、且つ固定台座３と近づく方向に向けて延伸する。前記ハネ４３の延伸端には突起があり、前記係止突起４５は、前記係止柱４１の少なくとも一つの側面上に位置することができる。
【００５２】
具体的に言えば、前記係止柱４１は長方体または正方体であり得、本発明の実施例中において、好ましくは長方体である。前記係止柱４１は、四つの側面があり、前記ハネ４３は好ましくは２つであり、前記係止突起４５は、好ましくは２つであり、前記二つのハネ４３は、前記係止柱４１の向かい合う二つの側面上に位置し、前記二つの係止突起４５は、前記係止柱４１の他の二つの側面上に位置する。
【００５３】
当然のように、前記係止突起４５は、一つ、三つ、四つとすることができ、前記ハネ４３も、一つ、三つ、四つとすることができる。前記係止突起４５の、前記係止柱４１における位置は、ハネ４３に近すぎることなく、具体的には前記係止柱４１の側辺中部以上の位置にある。前記係止突起４５、ハネ４３と前記係止柱４１は一体成型される。
【００５４】
さらに、前記係止構造４は、さらに係止跳返構造を含む。前記係止構造４とバックプレート７とが係止する場合、前記係止跳返機構は弾性変形を起こし、これにより前記バックプレートに、前記固定台座から遠ざかる弾性保持力を供する。
【００５５】
本実施例において、前記固定台座３の、前記係止構造を設置する部分の、前記固定台座３を設置する前記チューブ挟持部２の部分は、前記第一側に移動し、且つ前記係止跳返構造は前記固定台座の、固定台座の前記係止構造を設置する部分、及び前記チューブ挟持部を設置する区分の間の弓状部分３５を含むことができる。前記係止跳返構造は、その跳返力の作用によって、チューブ挟持部２の下向きの表面（係止後のバックプレートの下表面）と係止構造４の上向きの表面の間の距離の精密性を保証し、係止構造４とバックプレート７とが完全に係止することを保証し、係止後の強度が高く、緩まないことを保証し、さらに係止構造４のハネ４３が完全に開くことを保証し、係止構造４の係止が不安定であることによる、バックライト光源の固定の不安定性により、バックライトモジュールの発光均一性に影響する問題を解決できる。
【００５６】
さらに、前記支柱１、係止構造４が所在する係止台座３の部分と、前記チューブ挟持部２が所在する係止台座３の部分とは、異なる平面上にある。
【００５７】
さらに、前記支柱１、係止構造４が所在する固定台座３の部分は、前記チューブ挟持部２の所在する固定台座３が所在する部分の平面より高く、前記支柱１、係止構造４の所在する固定台座３の一部は、弓状構造３５となる。好ましくは、前記弓状構造３５は弾性構造である。
【００５８】
さらに好ましくは、前記係止構造４と前記支柱１は、前記固定台座３の下向きの表面に対応するように設置され、より具体的には、前記係止構造４は、前記弓状構造３５の下向きの表面に、弓状構造２５の上向きの表面の支柱１と対応するように設置している。
【００５９】
図７は本発明実施例のバックライトモジュールの構造模式図である。前記バックライトモジュールのバックライト固定構造５の、支柱１の一端と、弓状構造３５の上向きの表面は接続し、もう一端は光学フィルム６と接触し、光学フィルム６の支持に用いる。前記係止構造４は、バックプレート７上の孔を貫通して、係止力の作用下において、弓状構造３５の下向きの表面と、ハネ４３の間の距離を増大させ、係止構造４が完全に係止することを保証し、ハネ４３を完全に開かせ、係止めが完了してから、係止力の除去により、バックライト固定構造５の弓状構造３５において生じる跳返力の作用下において、バックプレート７の下向きの表面とハネ４３との間の距離を減少させ、完全に開いているハネ４３をバックプレート７の下向きの表面に密着させ、係止構造４の係止強度を保証する。係止構造４のハネ４３は、孔を通過する際に収縮し、孔を通過してから、バックライト固定構造５をバックプレート７上に係止し、これによりバックプレート７に対し、バックライト固定構造５を固定する。前記係止突起４５は、バックライト固定構造５とバックプレート７の固定をより安定に、強固にする。前記弓状構造３５は、跳返力の作用下において、係止構造４をバックプレート７に密着させ、係止構造４とバックプレート７の係止安定性を保証する。前記ハネ４３の延伸端の突起は、好ましくは垂直平行面であり、このようにすることでハネ４３が開いてから、より強固に前記バックプレート７の下向きの表面に固定することができる。
【００６０】
本発明実施例は、バックライト固定構造を提供する。前記バックライト固定構造は、台座、チューブ挟持部、支柱、係止構造を含み、前記バックライト固定構造の係止構造は、さらに係止跳返構造を含み、従来のバックライト固定構造の係止構造の係止不安定による出射不均一をもたらす現象を解決できる。
【００６１】
以上に記載したのは本発明の具体的な実施形態にすぎず、本発明の保護範囲はこれに限られない。任意の当業者が、本発明の開示する技術範囲内において、変更または置換に容易に想到できるものも、本発明の保護範囲に属することになる。よって、本発明の保護を求める範囲は、請求項の保護範囲を基準とする。
【符号の説明】
【００６２】
１、１’  支柱
２、２’  チューブ挟持部
３、３’  固定台座
４、４’  係止構造
５  バックライト固定構造
６  光学フィルム
７  バックプレート
３５  弓状構造
４１  係止柱
４２  係止台座
４３  ハネ
４４  斜めＬ型構造
４５  係止突起
【図１】
2015522905.tif 000003
【図２】
2015522905.tif 000004
【図３】
2015522905.tif 000005
【図４】
2015522905.tif 000006
【図５】
2015522905.tif 000007
【図６】
2015522905.tif 000008
【図７】
2015522905.tif 000009
【図８】
2015522905.tif 000010
【国際調査報告】
2015522905.tif 000011
2015522905.tif 000012
2015522905.tif 000013
2015522905.tif 000014